【手続補正書】
【提出日】平成21年3月31日(2009.3.31)
【手続補正１】
【補正対象書類名】特許請求の範囲
【補正対象項目名】全文
【補正方法】変更
【補正の内容】
【特許請求の範囲】
【請求項１】
複数のファイルの各々から、あらかじめ定められたサイズの固定長データを取得する取得手段と、
前記複数のファイルから取得した固定長データを格納する格納手段と、
外部装置からファイル情報の転送要求を受信する受信手段と、
前記受信した転送要求に応答して、前記格納手段に格納された複数の固定長データを１つの転送用データとして前記外部装置に転送する転送手段と、
を備えることを特徴とするデータ処理装置。
【請求項２】
前記転送手段により転送された固定長データを前記格納手段から消去する消去手段と、
前記複数のファイルのうち、前記取得手段により前記固定長データを取得していない未処理ファイルが存在するか否かを判定する判定手段と、
をさらに備え、
前記判定手段は、前記転送手段による転送が行われた場合に前記判定を行い、前記判定の結果、前記未処理ファイルが存在する場合、前記消去手段は前記転送手段により既に転送された固定長データを前記格納手段から消去するとともに、前記取得手段は前記未処理ファイルの各々から前記固定長データを取得することを特徴とする請求項１に記載のデータ処理装置。
【請求項３】
前記外部装置に接続されたことを検知する検知手段と、
前記検知手段による検知に応答して、前記複数のファイルを前記外部装置で特定するための情報を生成する生成手段と、
をさらに備えることを特徴とする請求項１又は２に記載のデータ処理装置。
【請求項４】
前記固定長データのサイズを変更する変更手段をさらに備えることを特徴とする請求項１乃至３のいずれか１項に記載のデータ処理装置。
【請求項５】
前記格納手段は、前記複数のファイルのうち、画像データを含まないファイルの前記固定長データは格納しないことを特徴とする請求項１乃至４のいずれか１項に記載のデータ処理装置。
【請求項６】
前記取得手段は、前記ファイルの先頭から始まる連続した領域にあるデータを前記固定長データとして取得することを特徴とする請求項１乃至５のいずれか１項に記載のデータ処理装置。
【請求項７】
前記固定長データは、サムネイル画像及びＥＸＩＦ情報のうち少なくともいずれかを含むことを特徴とする請求項１乃至６のいずれか１項に記載のデータ処理装置。
【請求項８】
前記取得手段は、前記サムネイル画像又は前記ＥＸＩＦ情報のファイル内での位置を特定せずに前記固定長データを取得することを特徴とする請求項７に記載のデータ処理装置。
【請求項９】
前記転送用データは、前記転送用データに含まれる固定長データの数を含むことを特徴とする請求項１乃至８のいずれか１項に記載のデータ処理装置。
【請求項１０】
ファイルから、前記ファイル内の可変長データが含まれるように固定長データを取得する取得手段と、
外部装置からファイル情報の転送要求を受信する受信手段と、
前記受信した転送要求に応答して、前記取得した固定長データを１つの転送用データとして前記外部装置に転送する転送手段とを備え、
前記取得手段は、前記可変長データのファイル内での位置を特定せずに前記固定長データを取得する
ことを特徴とするデータ処理装置。
【請求項１１】
外部装置に対し、ファイル情報を要求する第１の要求手段と、
前記要求に応答して前記外部装置から送信された、前記外部装置の記憶媒体に記憶されている複数のファイルから取得された複数の固定長データを含む転送用データを受信する受信手段と、
前記転送用データに含まれる複数の固定長データの各々からサムネイル画像を抽出する抽出手段と、
を備えることを特徴とする情報処理装置。
【請求項１２】
前記外部装置が保持するファイルのリストを、前記第１の要求手段の要求より前に取得するリスト取得手段と、
前記抽出手段によりサムネイル画像が抽出されなかった未処理ファイルの有無を、前記リストに基づいて判定する判定手段と、
前記判定手段により、未処理ファイルがあると判定された場合、前記未処理ファイルが存在しなくなるまで、前記第１の要求手段による要求と、前記抽出手段によるサムネイル画像の抽出とを繰り返して実行させる取得制御手段と、
をさらに備えることを特徴とする請求項１１に記載の情報処理装置。
【請求項１３】
前記サムネイル画像が正しく抽出できなかった固定長データがあった場合、前記サムネイル画像が正しく抽出できなかった固定長データに対応するファイルのサムネイル画像を個別に前記外部装置から取得するサムネイル取得手段をさらに備えることを特徴とする請求項１１又は１２に記載の情報処理装置。
【請求項１４】
前記サムネイル画像が正しく抽出できなかった固定長データの数に基づく値があらかじめ定められた上限値を超えた場合に、前記固定長データのサイズを増加するように前記外部装置に要求する第２の要求手段をさらに備えることを特徴とする請求項１１乃至１３のいずれか１項に記載の情報処理装置。
【請求項１５】
前記サムネイル画像が正しく抽出できなかった固定長データの数に基づく値があらかじめ定められた下限値未満である場合に、前記固定長データのサイズを減少するように前記外部装置に要求する第３の要求手段をさらに備えることを特徴とする請求項１１乃至１４のいずれか１項に記載の情報処理装置。
【請求項１６】
前記抽出手段によって抽出されたサムネイル画像の少なくとも１つを表示する表示手段を備えることを特徴とする請求項１１乃至１５のいずれか１項に記載の情報処理装置。
【請求項１７】
前記抽出手段は、前記転送用データに含まれる固定長データの数に基づき、前記サムネイル画像を抽出することを特徴とする請求項１１乃至１６のいずれか１項に記載の情報処理装置。
【請求項１８】
複数のファイルの各々から、あらかじめ定められたサイズの固定長データを取得する取得工程と、
前記複数のファイルから取得した固定長データを格納する格納工程と、
外部装置からファイル情報の転送要求を受信する受信工程と、
前記受信した転送要求に応答して、前記格納工程で格納された複数の固定長データを１つの転送用データとして前記外部装置に転送する転送工程と、
を備えることを特徴とするデータ処理方法。
【請求項１９】
ファイルから、前記ファイル内の可変長データが含まれるように固定長データを取得する取得工程と、
外部装置からファイル情報の転送要求を受信する受信工程と、
前記受信した転送要求に応答して、前記取得した固定長データを１つの転送用データとして前記外部装置に転送する転送工程とを備え、
前記取得工程では、前記可変長データのファイル内での位置を特定せずに前記固定長データを取得する
ことを特徴とするデータ処理方法。
【請求項２０】
外部装置に対し、ファイル情報を要求する第１の要求工程と、
前記要求に応答して前記外部装置から送信された、前記外部装置の記憶媒体に記憶されている複数のファイルから取得された複数の固定長データを含む転送用データを受信する受信工程と、
前記転送用データに含まれる複数の固定長データの各々からサムネイル画像を抽出する抽出工程と、
を備えることを特徴とする情報処理方法。
【請求項２１】
請求項１８又は１９に記載のデータ処理方法の各工程をコンピュータに実行させるためのプログラム。
【請求項２２】
請求項２０に記載の情報処理方法の各工程をコンピュータに実行させるためのプログラム。
【手続補正２】
【補正対象書類名】明細書
【補正対象項目名】発明の名称
【補正方法】変更
【補正の内容】
【発明の名称】データ処理装置及びその方法、並びに、情報処理装置及びその方法
【手続補正３】
【補正対象書類名】明細書
【補正対象項目名】００１２
【補正方法】変更
【補正の内容】
【００１２】
上記課題を解決するために、本発明は、以下の特徴を備えるデータ処理装置を提供する。すなわち、
複数のファイルの各々から、あらかじめ定められたサイズの固定長データを取得する取得手段と、
前記複数のファイルから取得した固定長データを格納する格納手段と、
外部装置からファイル情報の転送要求を受信する受信手段と、
前記受信した転送要求に応答して、前記格納手段に格納された複数の固定長データを１つの転送用データとして前記外部装置に転送する転送手段と、
を備えることを特徴とするデータ処理装置。
【手続補正４】
【補正対象書類名】明細書
【補正対象項目名】００１３
【補正方法】変更
【補正の内容】
【００１３】
また、本発明は、以下の特徴を備える情報処理装置を提供する。すなわち、
外部装置に対し、ファイル情報を要求する第１の要求手段と、
前記要求に応答して前記外部装置から送信された、前記外部装置の記憶媒体に記憶されている複数のファイルから取得された複数の固定長データを含む転送用データを受信する受信手段と、
前記転送用データに含まれる複数の固定長データの各々からサムネイル画像を抽出する抽出手段と、
を備えることを特徴とする情報処理装置。